(57)【要約】【課題】柔軟性を高める。【解決手段】所定の通信信号を送信して開閉体側通信装置と通信することにより、開閉体の動作を指示する非開閉体側通信装置において、仕様に応じた既定の機能を有する既存操作スイッチと、操作することによって当該既存操作スイッチの機能を変更する機能変更スイッチとを備える。また、この非開閉体側通信装置において、前記既存操作スイッチの変更前または変更後の機能は、予め登録してある暗証番号を入力する暗証番号入力機能および、当該暗証番号に対応する開閉体に対する動作指示機能であり、変更後または変更前の機能は、指示対象とする開閉体を複数の開閉体の中から選択する対象開閉体選択機能と、当該選択に対応する開閉体に対する動作指示機能であることも好ましい。【選択図】　図１
2004143841.tif 000002
【特許請求の範囲】
【請求項１】
所定の通信信号を送信して開閉体側通信装置と通信することにより、開閉体の動作を指示する非開閉体側通信装置において、
仕様に応じた既定の機能を有する既存操作スイッチと、
操作することによって当該既存操作スイッチの機能を変更する機能変更スイッチとを備えたことを特徴とする非開閉体側通信装置。
【請求項２】
請求項１の非開閉体側通信装置において、
前記既存操作スイッチの変更前または変更後の機能は、予め登録してある暗証番号を入力する暗証番号入力機能および、当該暗証番号に対応する開閉体に対する動作指示機能であり、
変更後または変更前の機能は、指示対象とする開閉体を複数の開閉体の中から選択する対象開閉体選択機能と、当該選択に対応する開閉体に対する動作指示機能であることを特徴とする非開閉体側通信装置。
【請求項３】
請求項２の非開閉体側通信装置において、
前記既存操作スイッチを用いて暗証番号入力後または対象開閉体選択後、所定の操作受付時間の計測を開始する第１の監視タイマ手段を備え、
当該操作受付時間内に行われた既存操作スイッチの１または複数の操作からなる操作系列情報に応じて前記開閉体側通信装置を動作させることを特徴とする非開閉体側通信装置。
【請求項４】
請求項２の非開閉体側通信装置において、
前記既存操作スイッチを用いて開閉体に対する動作指示後、所定の動作条件受付時間の計測を開始する第２の監視タイマ手段を備え、
当該動作条件受付時間内に前記既存操作スイッチを用いて行われた暗証番号入力または対象開閉体選択が適正であれば、前記動作指示の内容に応じて、前記開閉体側通信装置を動作させることを特徴とする非開閉体側通信装置。
【請求項５】
請求項２の非開閉体側通信装置において、
前記既存操作スイッチの変更前の機能が、その性質上、所定数以上の既存操作スイッチを要する場合、変更後の機能を所定数未満の既存操作スイッチを用いて実現し、変更前には使用し変更後には使用しない既存操作スイッチを、変更後の機能に追加した新たな機能の実現に活用することを特徴とする非開閉体側通信装置。
【請求項６】
請求項１〜５のいずれかの非開閉体側通信装置において、
前記機能変更スイッチの操作後に行った前記既存操作スイッチの操作内容に応じて、前記開閉体側通信装置を動作させることを特徴とする非開閉体側通信装置。
【請求項７】
請求項６の非開閉体側通信装置において、
前記機能変更スイッチは、当該非開閉体側通信装置の利用者が操作することが困難な態様で当該非開閉体側通信装置の構成要素である所定のハードウエアモジュールに配置し、当該機能変更スイッチの操作は、当該非開閉体側通信装置の製造工程で行うことを特徴とする非開閉体側通信装置。
【請求項８】
請求項１〜５のいずれかの非開閉体側通信装置において、
前記既存操作スイッチおよび機能変更スイッチの操作の内容を示す第２の操作系列情報を、前記機能変更スイッチの操作の前後にわたって記憶しておく操作内容記憶手段を備え、
当該第２の操作系列情報が示す既存操作スイッチに関する変更前および変更後の機能を、前記開閉体側通信装置の動作に一括して反映させることを特徴とする非開閉体側通信装置。
【請求項９】
請求項１〜８の非開閉体側通信装置と通信する開閉体側通信装置において、
前記非開閉体側通信装置の既存操作スイッチまたは機能変更スイッチの操作の内容を、前記非開閉体側通信装置に代わって記憶する代理記憶手段と、
当該代理記憶手段に記憶された内容を解析して、開閉体に関する処理を実行する記憶内容解析手段とを備えたことを特徴とする開閉体側通信装置。
【発明の詳細な説明】
【０００１】
【発明の属する技術分野】
本発明は開閉体側通信装置に関し、例えば、シャッター、ドア、窓、オーバーヘッドドア、門扉、ゲート（駐車場などのゲート）、ロールスクリーン（例えば遮光幕）、ブラインド、オーニング装置などの遠隔操作システム（リモコンシステム）などのリモコン受信機等に適用し得るものである。
【０００２】
また、本発明はかかる開閉体側通信装置に対向する非開閉体側通信装置に関するものである。
【０００３】
【従来の技術】
従来、シャッターの無線リモコンシステムでは、ユーザが携帯したり、シャッター近傍の壁面などに固着する形式で、リモコン送信機を設ける。
【０００４】
携帯タイプ、壁面固着タイプいずれであっても、リモコン送信機上に設けられた所定の操作スイッチをユーザが操作すると、リモコン送信機はユーザの操作内容（開動作、閉動作、停止などの指示）に応じた無線信号を送信し、この無線信号を受信したリモコン受信機が当該操作内容に応じたシャッター動作を実行する。
【０００５】
携帯タイプのリモコン送信機の場合、携帯性が重要であるためコンパクトに構成（例えば、ユーザの手の平に収まる程度にコンパクトに構成）する必要性が高く、設けられる操作スイッチの数も例えば３個程度（一例として、開動作指示用の操作スイッチ、閉動作指示用の操作スイッチ、停止指示用の操作スイッチの３個）と少ないのが普通であるが、壁面固着タイプの場合には携帯性はほとんど必要ないため、操作スイッチの数も、これより多く、例えば、０〜９の整数ごとに合計１０個の操作スイッチと数個の補助スイッチを配列したテンキーが設けられ、さらに上述した開動作指示用の操作スイッチ、閉動作指示用の操作スイッチ、停止指示用の操作スイッチが設けられることがある。
【０００６】
テンキーがあれば数字入力を効率的に行うことが可能であるため、所定桁数の暗証番号を入力させることも容易で、シャッターの例えば開動作などの指示に先だって、暗証番号の入力を義務づけることができる。これにより、正確な暗証番号を入力できる正規のユーザしかシャッターを動作させることができなくなり、セキュリティを強化できる。
【０００７】
【特許文献１】
特開２００２−１８８３６３号公報
【０００８】
【発明が解決しようとする課題】
ところで、上述した壁面固着タイプのリモコン送信機に設けられるテンキーは、暗証番号以外の数字を入力するために利用しても効率的なユーザインタフェースであるが、既存のリモコン送信機は、暗証番号以外の数字を入力できるようには構成されていない。
【０００９】
このため、ほとんどの機能が共通であるにもかかわらず、テンキーで入力された数字の意味（前記リモコン送信機などの内部における処理内容）が相違することが原因で、テンキーで暗証番号を入力するリモコン送信機と、テンキーで暗証番号以外の数字を入力するリモコン送信機とは、まったく別個の製品として製造しなければならない等、柔軟性に欠ける。
【００１０】
暗証番号以外の数字の例としては、一戸の住宅の複数の窓ごとに設けられる複数の窓用シャッターのなかから、動作指示の対象とする窓用シャッターを特定するために入力される数字（シャッター識別子）があげられる。
【００１１】
ここでは、リモコン送信機に注目して課題を説明したが、リモコン送信機に対向し、リモコン送信機とともにシャッターの無線リモコンシステムを構成するリモコン受信機は、リモコン送信機と連携して必要な機能を実現する通信装置であり、リモコン送信機に配置できる機能は、リモコン受信機側に配置換えできる場合も少なくないため、ここで述べた課題はリモコン受信機の課題としてとらえることもできる。
【００１２】
なお、以上の課題は、窓用シャッター、シートシャッター、ガレージ用シャッターなどのシャッターだけでなく、ドア、窓、オーバーヘッドドアなどにも共通している。
【００１３】
本発明は、柔軟性の高い、開閉体側通信装置および非開閉体側通信装置を提供することを目的とする。
【００１４】
【課題を解決するための手段】
かかる課題を解決するために、第１の発明では、所定の通信信号を送信して開閉体側通信装置と通信することにより、開閉体の動作を指示する非開閉体側通信装置において、仕様に応じた既定の機能を有する既存操作スイッチと、操作することによって当該既存操作スイッチの機能を変更する機能変更スイッチとを備えたことを特徴とする。
【００１５】
また、第２の発明では、請求項１〜８の非開閉体側通信装置と通信する開閉体側通信装置において、前記非開閉体側通信装置の既存操作スイッチまたは機能変更スイッチの操作の内容を、前記非開閉体側通信装置に代わって記憶する代理記憶手段と、当該代理記憶手段に記憶された内容を解析して、開閉体に関する処理を実行する記憶内容解析手段とを備えたことを特徴とする。
【００１６】
【発明の実施の形態】
（Ａ）実施形態
以下、本発明にかかる開閉体側通信装置および非開閉体側通信装置を、無線リモコンシステムで使用するリモコン受信機およびリモコン送信機に適用した場合を例に、実施形態について説明する。
【００１７】
本実施形態は、テンキーを備えた１つのリモコン送信機を、所定の製品変更スイッチを切り替えることによって仕様（用途）の異なる２通りのリモコン送信機製品のいずれかとして製造できるようにしたことを特徴とする。
【００１８】
最終的にはいずれか１つの用途でしか使用しないリモコン送信機製品を、このようにの２つの用途に対応可能なものとして製造する利点は、同一製品の製造数量を大きくして１製品あたりの製造コストを低減できる点、同一の製品をストックしておき、需要の変動に応じて第１の用途の製品として出荷したり、第２の用途の製品として出荷したりすることで、予測することが困難な需要の変動に対する即応性を高めることができる点などがあげられる。
【００１９】
また、各スイッチ類の機能は用途に応じて変化しても、ハードウエア的なユーザインタフェースの構成は用途に依存することなく同じであるため、その用途ではじめて利用するユーザにも安心感を与え、使い勝手を高める効果も期待できる。
【００２０】
（Ａ−１）実施形態の構成
シャッター装置の無線リモコンシステム１０の全体構成例を図４に示す。
【００２１】
図４において、当該無線リモコンシステム１０は、後述するリモコン受信機１１と、リモコン送信機１２と、シャッター１３とを備えている。
【００２２】
なお、本実施形態では２種類のリモコン受信機１１Ａと１１Ｂを想定するが、特に両者を区別する必要がないときには、その符号として当該１１を用いる。
【００２３】
リモコン受信機１１はシャッター１３の上部に配置されているシャッターケースＣＡ内に収納されている。当該シャッターケースＣＡ内には、シャッター１３を開閉させるためのモータＭ１なども配置されている。開動作するとき、シャッター１３は図示しない巻き取りシャフト（この巻き取りシャフトはモータＭ１が提供する動力に応じて回転する）に巻き取られてシャッター収納部ＣＡに収納されていき、閉動作するときには、これと反対の動きになる。
【００２４】
シャッター１３自体は、ポリエステルなどの軽い素材によって構成されたシート状のカーテン部を主体とするシャッターであってもよいが、図示した例では、鉄などの金属によって構成された多数のスラットを備えるスラットシャッターを用いている。
【００２５】
図４に示した状態においてこのシャッター１３は完全閉鎖と完全開放の中間位置にある。シャッター１３の軌道を画定する前記ガイドレールＧＲに沿って、図示の状態から、シャッター下端部（座板）１３Ａが矢印Ｄ１方向に移動して位置ＰＮ１で停止したときが完全閉鎖状態であり、反対に矢印Ｄ２方向に移動して最上部で停止したときが完全開放状態である。
【００２６】
前記シャッター１３の開閉動作などを指示するユーザＵ１は、壁ＷＡに固定的に設置（一例として、ねじ止めなどの方法による設置）されたリモコン送信機１２を操作することによって、所望の動作（開閉動作や、前記中間位置の設定の変更なども含む）を行わせることができる。
【００２７】
図４上は必ずしも明確ではないが、リモコン送信機１２は、有線伝送路（有線ケーブルなど）によっては自身の外のいずれの通信装置とも接続されていない無線通信装置で、上述した壁面固着タイプのリモコン送信機に該当する。
【００２８】
したがってリモコン送信機１２は、シャッター１３の動力源となるモータＭ１を制御するリモコン受信機１１とも有線伝送路によっては接続されておらず、無線伝送路（無線通信）によって接続されている。
【００２９】
固定的に設置されるリモコン送信機１２をこのような無線通信装置とすることにより、有線ケーブルの引き回しなどが不要になって、有線ケーブルの長さなどに制限されることなく、所望の場所に取り付けることができ、施工性が向上する利点がある。
【００３０】
当該リモコン送信機１２は、例えば、図３に示すような外観を備えている。当該リモコン送信機１２は、シャッターシステムによく利用される上述した携帯タイプのリモコン送信機に比べると、そのサイズを大きくすることが可能であるから、搭載できるボタン（操作スイッチ）の数も多く、テンキーを搭載することもできる。
【００３１】
（Ａ−１−１）リモコン送信機の外観構成例
図３において、当該リモコン送信機１２は、ボディ１２Ａと、上蓋１２Ｂと、操作部１２Ｃと、電池収納ボックス１２Ｄとを備え、この操作部１２Ｃ内には、送信スイッチ５０と、動作指示スイッチ５１〜５３と、テンキー７０〜８１とを有し、電池収納ボックス１２Ｄ内には、製品変更スイッチ６４を有する。
【００３２】
このうち上蓋１２Ｂは回転軸部ＡＸ１を中心として矢印ＲＤ１方向に自由に回転できるように構成されている。上蓋１２Ｂが閉鎖した状態では操作部１２Ｃが当該上蓋１２Ｂによって完全に覆われるため、操作部１２Ｃ内のスイッチ類（５１、７１など）を操作することはできないが、閉鎖状態から、上蓋１２Ｂを前記矢印ＲＤ１方向に回転させて例えば、図３に示した状態にまで開放すると、ユーザＵ１などがスイッチ類を操作することが可能になる。
【００３３】
必要ならば、当該上蓋１２Ｂやボディ１２Ａなどに、閉鎖状態で施錠できる機構を設けてもかまわない。
【００３４】
前記電池収納ボックス１２Ｄは、例えば、点線で示したような形状の乾電池ＢＴ１を収納するための部分である。この乾電池ＢＴ１は、当該リモコン送信機１２の電力供給源となるものであるから、無線リモコンシステム１０の運用状態では、常時、電池収納ボックス１２Ｄ内に収納された状態にある。
【００３５】
製品変更スイッチ６４はリモコン送信機１２の後述する用途を決定するために操作する切替スイッチ（例えば、スライド式のスイッチであってよい）で、当該電池収納ボックス１２Ｄの奥部に配置され、当該電池収納ボックス１２Ｄ内に収納してある乾電池ＢＴ１を取り除かなければ（ユーザＵ１などから）操作することができない。
【００３６】
当該製品変更スイッチ６４は、通常、リモコン送信機１２の製造工程で製造作業者によって操作される（あるいは、配送や在庫管理の段階で、物流に関する作業の担当者などが操作したり、小売り段階で小売店の担当者が操作してもよい）スイッチで、当該リモコン送信機１２を購入し、使用するユーザＵ１がこの製品変更スイッチ６４を操作したり、操作する意思がないのに不用意に触れて操作してしまうことがないようにしておくことが重要である。この製品変更スイッチ６４を例えば図３に示した矢印Ｄ３の方向に切り替えると、当該リモコン送信機１２自体の用途（機能）が変化してしまい、いずれか一方の用途に対応した操作方法しか知らない通常のユーザＵ１には予測できない動作をするようになるからである。
【００３７】
当該リモコン送信機１２の用途としては各スイッチ類５０〜５３，７０〜８１ごとに様々なものが考えられるが、ここでは、テンキー７０〜８１に注目し、当該テンキー７０〜８１を暗証番号の入力に使用するものを第１の用途、当該テンキー７０〜８１を、開、閉、停などの動作指示の対象となるシャッターの指定に使用するものを第２の用途とする。図４に示した無線リモコンシステム１０のように、シャッターが１つ（シャッター１３）だけしか存在しないリモコンシステムの場合、動作指示の対象となるシャッターを指定するということはあり得ないから、用途は第１の用途に限られる。
【００３８】
反対に、住宅などの窓用シャッターのように、一戸の住宅に多数設けられている各窓ごとに設置され、各窓用シャッターの動作（開動作、閉動作、停止など）を１つのリモコン送信機１２で指示する場合には、どの窓用シャッターに対する指示であるかを特定する必要があるから、用途は、主として第２の用途に限られる。もちろん、テンキー７０〜８１を指示対象（シャッターＩＤに対応するシャッター）の特定に使用したあとで（あるいは、前に）、暗証番号の入力にも使用するという構成も可能であるが、ここでは説明を簡単にするために、第１の用途と第２の用途を想定する。
【００３９】
なお、指示対象の特定が必要になるのは、複数の窓に設置されている窓用シャッターに限らない。例えば、複数のガレージに設置されているガレージシャッターなども同様である。
【００４０】
また、前記ユーザＵ１が製品変更スイッチ６４を操作したり、操作する意思がないのに不用意に触れて操作してしまうことがない配置場所は、図示した電池収納ボックス１２Ｄの奥部に限らない。一例としては、図３の紙面上、操作部１２Ｃなどの裏側に相当するボディ１２Ａの背面に配置してもよい。この背面は、リモコン送信機１２をねじ止めなどにより壁ＷＡに取り付けたときには壁面に密着するため、ユーザＵ１が触れることは困難である。
【００４１】
また、電池収納ボックス１２Ｄの奥部やこの背面は、製品としてのリモコン送信機１２の組み立てが完了したあとで触れることのできる場所（ボディ１２Ａの表面）であったが、組み立て完了後には触れることのできない場所（ボディ１２Ａの内部）に配置してもよい。
【００４２】
その場合、ボディ１２Ａを分解しなければ製品変更スイッチ６４に触れることができないため、通常のユーザＵ１が触れることはほとんど不可能である。ボディ１２Ａの内部に配置するか表面に配置するかは、製造工程の中のどの時点で、リモコン送信機１２の用途を決定するかに応じて決まる。
【００４３】
図３の例のように、電池収納ボックス１２Ｄの奥部などのボディ１２Ａの表面に設けるのは、製品としてのリモコン送信機１２の組み立てが完全に完了してから用途を決定する場合に便利であるが、組み立ての途中（例えば、組み立ての最終段階に近い工程（下流工程））で用途を決定する場合などには、情報処理装置としての当該リモコン送信機１２の主要な構成要素である（、あるいは当該主要な構成要素に接続されている）ハードウエアモジュールに、この製品変更スイッチ６４を設けておくとよい。
【００４４】
ただし製造工程のなかの早い工程（上流工程）で製品変更スイッチ６４の切り替えに相当する操作（用途変更操作）を行うと、上述した１製品あたりの製造コストの低減や、需要の変動に対する即応性の向上などの効果も低減されるから、用途変更操作は、下流工程で行うほど有利であるといえる。
【００４５】
前記操作部１２Ｃ内に設けたスイッチ類のうちテンキー７０〜８１は、１つひとつが１桁の１０進数に対応した数字キー７０〜７１と、これらの数字キー７０〜７１に関連して付加的な機能を提供する補助キー８０、８１から構成される。
【００４６】
すなわち、当該テンキーは、基本的に数字の「０」の入力に使用する数字キー７０と、基本的に数字の「１」の入力に使用する数字キー７１と、基本的に数字の「２」の入力に使用する数字キー７２と、基本的に数字の「３」の入力に使用する数字キー７３と、基本的に数字の「４」の入力に使用する数字キー７４と、基本的に数字の「５」の入力に使用する数字キー７５と、基本的に数字の「６」の入力に使用する数字キー７６と、基本的に数字の「７」の入力に使用する数字キー７７と、基本的に数字の「８」の入力に使用する数字キー７８と、基本的に数字の「９」の入力に使用する数字キー７９と、入力内容をキャンセル（「Ｃ」）する補助キー８０と、暗証番号登録時に使用する補助キー８１を備えている。
【００４７】
ワードプロセッサやパーソナルコンピュータのキーボードなどに設けられているテンキーと比べると、当該テンキー７０〜８１には、算術演算を指示する「＋」キー、「−」キーが存在しないなど、いくつかの相違点がある。「＋」キー、「−」キーなどは、算術演算を実行しない本実施形態では不要だからである。
【００４８】
なお、ここでは、テンキーに属するボタンを数字キーや補助キーと呼び、シャッター動作の指示などに使用するボタンを動作指示スイッチ（５１など）や送信スイッチ（５０）などと呼んでいるが、機械的、電気的にはいずれも同じスイッチであるため、スイッチ類と総称する。
【００４９】
これらのスイッチ類は、機械的、電気的にどのような形式のスイッチであってもかまわないが、一例として、通常は配置位置近傍の基準面から突出しており、ユーザＵ１が指などで押し込む（押し下げる）ことによって機能するＰＢＳ（プッシュ・ボタン・スイッチ）形式のスイッチであってよい。
【００５０】
動作指示スイッチ５１〜５３のうち、動作指示スイッチ５１は操作することによってシャッター１３の開動作を指示する開動作指示スイッチで、動作指示スイッチ５２は操作することによってシャッター１３の閉動作を指示する閉動作指示スイッチで、動作指示スイッチ５３は操作することによってシャッター１３の停止を指示する停止動作指示スイッチである。
【００５１】
通常、当該停止動作指示スイッチ５３は、シャッター１３が開動作実行中であるとき、または閉動作実行中であるとき、その動作を停止させるために操作される。
【００５２】
ただしここで述べた動作指示は基本的なものであって、これら３つの動作指示スイッチ５１〜５３を用いてこれら以外の動作の指示などを行うことも可能である。携帯タイプに比べコンパクト化の要求水準が低いとはいえ、壁面固着タイプのリモコン送信機１２でも、ボディ１２Ａのサイズは小さいほうよく、スイッチ類の数は少ないほうが望ましいから、その必要性は小さくない。
【００５３】
例えば、閉動作指示スイッチ５２と停止動作指示スイッチ５３を同時に短く（例えば３秒以内）押すことによって、前記シャッター１３の下端部１３Ａに関し予め設定した所定の中間位置（中間停止位置）までの開動作および閉動作（すなわち中間停止動作）を指示できるようにしてもよい。
【００５４】
また、必要に応じて、これらの動作指示スイッチ５１〜５３の操作を５２，５３以外の組合せにしたがって組み合わせることにより、もっと複雑な動作を行わせることも可能である。一例として、スラットシャッターである当該シャッター１３では、換気動作（隣接するスラット間に設けられた開口の大きさを制御することにより閉鎖状態のシャッター１３の内外の空気が流通し得ない状態から流通し得る状態へ移行する動作）などが、当該複雑な動作に該当する。
【００５５】
なお、図３上は省略しているが、リモコン送信機１２は、電池収納ボックス１２Ｄに乾電池ＢＴ１を収納したあと、その上から所定の電池カバー蓋（図示せず）を被せることによって、乾電池ＢＴ１および電池収納ボックス１２Ｄ（製品変更スイッチ６４も含む）を覆うことができるようになっている。
【００５６】
このような機能を有する壁面固着タイプの当該リモコン送信機１２の内部構成例は図１に示す。
【００５７】
（Ａ−１−２）リモコン送信機の内部構成例
図１において、リモコン送信機１２は、無線送信部５４と、送信処理部５５と、プロセッサ５６と、手順記憶部５７と、動作指示検出部５８と、（監視タイマ５９と、）テンキー操作検出部６０と、解釈部６１と、製品変更部６２と、送信許可部６３とを備えている。
【００５８】
このうち無線送信部５４は、無線伝送路としての空間を介してリモコン受信機内の後述する無線受信部４１（図２参照）に対向する部分で、送信処理部５５から所定の信号線を介して受け取った送信信号ＷＳに対応した無線信号ＷＬ１を無線送信する。そのために、当該無線送信部５４は、送信用のアンテナシステム、フィルタ回路、電力増幅器などを備えている。当該無線信号ＷＬ１は、周波数帯域が例えば、３００ＭＨｚや４００ＭＨｚ程度で、送信電力が例えば１ｍＷ程度の微弱な電波であってよい。
【００５９】
前記送信処理部５５は符号化処理や変調処理などの必要な処理を実行する機能を備え、プロセッサ５６から供給される送信処理信号ＲＰに応じて、生成する送信信号ＷＳの内容を変化させる。
【００６０】
リモコン送信機１２の場合、当該送信信号ＷＳの内容は、例えば、指定するシャッター動作や、送信機ＩＤ登録操作などの種類に応じて決定される有限個であるので、送信する情報の発生源（この発生源は、例えばＲＯＭ（リードオンリーメモリ）などであってよい）も送信処理部５５の内部に存在し、前記送信処理信号ＲＰに応じて当該発生源のなかから１つの送信情報を選択して読み出す構成であってもよい。
【００６１】
ここで、送信機ＩＤとは、使用する周波数帯域などが同じである等のためにリモコン受信機１１が混同する可能性のあるリモコン送信機を一義的に識別し、真に当該リモコン受信機１１に対して無線送信することのできる正当なユーザのリモコン送信機から送信された無線信号ＷＬ１だけに基づいて、シャッター１３の動作等を行うために使用される識別子（送信機識別子）である。そのため、リモコン送信機１２には無線送信するたびに無線信号ＷＬ１のなかに当該送信機ＩＤを収容する証明機構（図示せず）が必要であり、リモコン受信機１１には当該送信機ＩＤを識別し、ユーザ認証（または端末認証）を行うための検証機構（図示せず）が必要である。
【００６２】
なお、必要に応じてこれらの証明機構や検証機構を省略することができる。
【００６３】
特に、リモコン送信機１２を上述した第１の用途に用い、なおかつ、入力した暗証番号とシャッター動作の指示内容を示す情報（動作指示情報）を、図６（Ａ）に示すように、同じフォーマットＦＭ１のなかに収容して前記無線信号ＷＬ１として送信する場合には、リモコン受信機１１Ａ側では当該暗証番号を利用してユーザ認証（ユーザの正当性の検証）を行うことができるので、一般的には、端末認証（送信機の正当性の検証）までこれに重ねて行う必要性は低いと考えられ、そのための証明機構や検証機構を省略できる可能性が高い。
【００６４】
もちろん、必要ならば、ユーザ認証とともに、端末認証も実行してよいことは当然である。
【００６５】
前記送信処理部５５に送信処理信号ＲＰを出力するプロセッサ５６は、当該リモコン送信機１２のＣＰＵ（中央処理装置）である。
【００６６】
リモコン送信機１２を操作するユーザＵ１にとって唯一のシャッター動作指示手段である上述した３つの動作指示スイッチ５１〜５３を設けた動作指示検出部５８は、各動作指示スイッチ５１〜５３について、その押し下げストロークが所定の長さに達すると操作検出信号ＰＢ１を出力する部分である。
【００６７】
前記操作検出信号ＰＢ１が前記手順記憶部５７に供給されるのと同時に、当該動作指示検出部５８の内部では、動作指示スイッチ５１〜５３の押し下げが有効に検出されたことをユーザＵ１に伝えるため、聴覚的および／または視覚的な応答を返す。この応答は、例えば、一定音程、一定音色のブザー音などであってよい。必要ならば、操作が検出された動作指示スイッチ５１〜５３の相違に応じて、音程や音色を変更するようにしてもよい。
【００６８】
これにより、ユーザＵ１は、聴覚的にスイッチ操作の有効性を確認することができる。
【００６９】
前記操作検出信号ＰＢ１は押し下げを検出した動作指示スイッチの相違に応じて異なる状態を取り、その操作手順は手順記憶部５７に一時的に記憶される。
【００７０】
テンキー操作検出部６０は、テンキー７０〜８１のために設けられた構成要素で、その機能は、前記動作指示検出部５８に対応する。したがって、当該テンキー操作検出部６０は、テンキー７０〜８１のうちのいずれかのキー（例えば、数字キー７１）の操作が有効であると、操作検出信号ＰＢ２を手順記憶部５７に供給するとともに、ブザー音などを出力する。
【００７１】
当該操作検出信号ＰＢ２は、前記操作検出信号ＰＢ１に対応する信号であるから、操作されたキーの相違に応じて異なる状態を取る。
【００７２】
なお、図１では作図の都合上、３つのキー７１〜７３しか図示していないが、当該テンキー操作検出部６０には、テンキー７０〜８１のすべてが設けられていることは当然である。
【００７３】
手順記憶部５７は一時記憶している前記操作検出信号ＰＢ１やＰＢ２の系列からなる手順がどのような操作または入力データを指定しているかを判定して、その判定結果である判定信号ＤＳを解釈部６１に供給する部分である。
【００７４】
したがって、本実施形態では、手順記憶部５７に一時記憶されている前記操作検出信号ＰＢ１およびＰＢ２の系列（ユーザＵ１の行った操作手順に対応）が一括して解釈部６１に渡されることになる。
【００７５】
解釈部６１は通常の実装では前記プロセッサ５６内にソフトウエア的に実現される可能性の高い構成要素であるが、ここでは、プロセッサ５６の外部に展開して図示している。
【００７６】
この解釈部６１は前記製品変更スイッチ６４の切り替え操作の内容に応じた製品変更信号ＡＴ１を製品変更部６２から受け取り、当該製品変更信号ＡＴ１の状態により、実行する解釈処理の内容を変更する部分で、その解釈処理の結果は、解釈信号ＩＰとしてプロセッサ５６に供給する。
【００７７】
すなわち、製品変更信号ＡＴ１が前記第１の用途を指定している場合には、判定信号ＤＳ中の操作検出信号ＰＢ２に対応する部分を暗証番号の入力として解釈し、反対に、ＡＴ１が前記第２の用途を指定している場合には、判定信号ＤＳ中の操作検出信号ＰＢ２に対応する部分を動作指示対象のシャッターを特定するシャッター識別子（シャッターＩＤ）として解釈する。
【００７８】
判定信号ＤＳ中の操作検出信号ＰＢ１に対応する部分については、本実施形態では、製品変更信号ＡＴ１の状態にかかわらず解釈処理の内容を変化させないものとするが、もし必要ならば、この部分に対する解釈処理の内容を変化させることも可能である。
【００７９】
暗証番号とは、セキュリティ強化の観点から設けられるパスワードのことであり、１桁や２桁の１０進数では偶然一致する可能性も高いため、通常は４桁程度（あるいはそれ以上）に設定されるものであるのに対し、シャッターＩＤは、１つのリモコン送信機で動作指示を行うシャッターの数に応じたものであり、原理的にはいくらでも大きな値を取りうるが、現実のシャッターの使用環境を想定すると、十数個を大きく上回ることは、ほとんどあり得ず、多くの場合は、十個未満で十分である。シャッターの数が十個未満ならば、シャッターＩＤは、１桁の１０進数とすることも容易で、そのほうが効率的である。
【００８０】
暗証番号もシャッターＩＤも、ユーザＵ１がテンキー７０〜８１を利用して入力するものであるから、操作性の観点ではできるだけ桁数が少ないほうがよいが、その性質上、暗証番号の桁数は少なくすることが難しいのに、シャッターＩＤは少なくできるという相違がある。
【００８１】
情報処理装置の内部では数が１桁変化しただけでも内部処理は大きく変わってくる。例えば、無線信号ＷＬ１の図６（Ａ）、（Ｂ）に示すフォーマットＦＭ１，ＦＭ２のなかの暗証番号（またはシャッターＩＤ）を収容するフィールドＦ１１（またはＦ２２）と、動作指示情報を収容するフィールドＦ１２（またはＦ２２）で、前記プロセッサ５６や送信処理部５５が行う処理の内容が相違する場合などには、解釈部６１は解釈信号ＩＰを介して、暗証番号（またはシャッターＩＤ）と、動作指示情報を峻別するのに必要な情報をプロセッサ５６に伝える必要がある。例えば、フィールドＦ１１とＦ１２を区別して符号化処理を行う場合などがこれに該当する。
【００８２】
図１中の監視タイマ部５９と送信許可部６３はいずれか一方だけを設ければよい。ここでは、主として、送信許可部６３を設ける場合を例に説明する。
【００８３】
前記送信許可部６３はユーザＵ１などが明示的に無線信号ＷＬ１の送信タイミングを指定するための部分で、ユーザＵ１などが前記送信スイッチ５０を有効に押し下げたとき、それまでに前記スイッチ類の操作によって前記手順記憶部５７内などに蓄積された前記操作検出信号ＰＢ１およびＰＢ２の系列をもとに、前記無線信号ＷＳ１を送信するための処理を、プロセッサ５６に開始させる。
【００８４】
一方、前記監視タイマ部５９はこのようなユーザからの指定を待つことなく、自動的に時間の経過を計測し、計測した時間が所定のしきい値（例えば、５秒〜１０秒程度）に達したタイミングを送信タイミングとして、自動的に無線送信を行うための部分である。時間の計測の開始タイミングは、ユーザＵ１がリモコン送信機１２のスイッチ類に対して行う一連の操作のうち、最初の操作が有効に検出されたタイミングであってよい。
【００８５】
例えば、最初にテンキー７０〜８１を操作して暗証番号（あるいは、シャッターＩＤ）を入力し、そのあと、動作指示スイッチ５１〜５３を操作して動作指示情報を入力するものとすると、最初のテンキー（例えば、数字キー７３など）を有効に操作したときが、この開始タイミングとなる。
【００８６】
場合によっては、最後のテンキーの操作が有効に行われたタイミングや、最初の動作指示スイッチの操作が有効に行われたタイミングを開始タイミングとしてもよい。
【００８７】
当該監視タイマ部５９を設けることによって送信スイッチ５０が不要となり、スイッチ類の数を減らせ、ユーザＵ１の操作負担を軽減できる利点がある。
【００８８】
計測時間に関する上述したしきい値（例えば、５秒〜１０秒程度）の具体値は、前記中間停止動作を指示する場合に行う閉動作指示スイッチ５２と停止動作指示スイッチ５３を同時に短く（例えば３秒以内）押す操作などが実行できるように配慮して設定する必要がある。
このようなリモコン送信機１２から無線信号ＷＬ１を受信する上述したリモコン受信機１１の主要部の構成例は、図２（Ａ）、（Ｂ）に示す通りである。
【００８９】
図２（Ａ）は上述した第１の用途に対応するリモコン受信機１１Ａを示し、図２（Ｂ）は上述した第２の用途に対応するリモコン受信機１１Ｂを示す。
【００９０】
（Ａ−１−３）リモコン受信機およびその周辺の構成例
図２（Ａ）において、当該リモコン受信機１１Ａは、無線受信部４１と、受信処理部４２と、プロセッサ４３と、ユーザ認証部４４と、暗証番号格納部４５と、シャッター制御部６５とを備えている。
【００９１】
このうち無線受信部４１は受信用のアンテナシステム、フィルタ回路、電力増幅器などを備え、前記リモコン送信機１２が無線送信した無線信号ＷＬ１を受信する部分で、受信した無線信号ＷＬ１に応じて前記送信信号ＷＳに対応する受信信号ＷＳを出力する。
【００９２】
また受信処理部４２は、前記送信処理部５５と対称的な復号処理や復調処理などの必要な処理を実行する機能を備えた部分で、無線受信部４１から供給を受けた前記受信信号ＷＳに応じた受信処理信号ＲＰをプロセッサ４３に出力する。
【００９３】
シャッター制御部６５は、リモコン受信機１１の外部であって前記モータＭ１の近傍に配置される部分で、前記プロセッサ４３から供給される制御信号ＭＣ１に応じてシャッター１３の開閉動作の動力源となるモータＭ１の動作を制御する。当該シャッター制御部６５は、一例として、複数のリレーを内蔵し、開動作、停止動作、閉動作などの相違に応じて、該当するリレーを作動させるものであってもよい。
【００９４】
当該プロセッサ４３は、当該リモコン受信機１１のＣＰＵである。
【００９５】
前記リモコン送信機１２が図６（Ａ）に示すフォーマットの無線信号ＷＬ１を送信してきた場合、当該プロセッサ４３はフォーマット中の暗証番号情報フィールドＦ１１から取得した暗証番号を、ユーザ認証部４３に供給する。ユーザ認証部４３によるユーザ認証の結果が肯定的である場合に限り、プロセッサ４３は、前記制御信号ＭＣ１を変化させることによってシャッター制御部６５を制御し、ユーザＵ１が望む開動作、閉動作等のシャッター動作に応じた動作をモータＭ１に行わせる。
【００９６】
プロセッサ４３とシャッター制御部６５のあいだには、必要に応じてドライブ回路などが配置されていてよい。
【００９７】
暗証番号格納部４５は、予め登録された前記暗証番号（例えば、４桁の数字）を登録してある記憶装置である。ＥＥＰＲＯＭ（フラッシュメモリ：ＥｌｅｃｔｒｉｃａｌＥｒａｓａｂｌｅ　Ｐｒｏｇｒａｍｍａｂｌｅ　ＲＯＭ）などの書き込み可能な記憶装置を使用すれば、必要に応じて、登録した暗証番号の値を変更することも容易である。
【００９８】
ユーザ認証部４４は、プロセッサ４３から供給された暗証番号を暗証番号格納部４５に格納されている暗証番号と照合することによってユーザ認証を行う部分である。照合の結果、プロセッサ４３から供給された暗証番号と暗証番号格納部４５内に登録されている暗証番号が一致すれば、認証結果は肯定的なものとなり、一致しなければ否定的なものとなる。
【００９９】
図２（Ｂ）に示すリモコン受信機１１Ｂも基本的にこのリモコン受信機１１Ａと同等な機能を備えている。
【０１００】
図２（Ｂ）中で、図２（Ａ）と同じ符号４１〜４３を付与した構成要素の機能は、リモコン受信機１１Ａに対応するので、その詳しい説明は省略する。
【０１０１】
リモコン受信機１１Ｂが１１Ａと相違する点は、構成要素４６，４７，６５Ａ〜６５Ｎに関連する部分に限られる。
【０１０２】
このうちシャッター制御部６５Ａ〜６５Ｎは、それぞれに別個のシャッター（例えば、窓用シャッター）の動力源となるモータ（図示せず）を制御する。基本的に、シャッター制御部６５Ａ〜６５Ｎと各シャッター（窓用シャッター）は１対１に対応しているから、シャッター制御部を特定することは、シャッターを特定することに等しい。
【０１０３】
ここでは、上述したシャッターＩＤの具体例としてＳＩＤＡ〜ＳＩＤＮを用い、シャッター制御部６５ＡにはＳＩＤＡを対応させ、シャッター制御部６５ＢにはＳＩＤＢを対応させ、…、シャッター制御部６５ＮにはＳＩＤＮを対応させるものとする。ＳＩＤＡ〜ＳＩＤＮのそれぞれは、異なる１桁の十進数であってよい。例えば、ＳＩＤＡは０，ＳＩＤＢは１，ＳＩＤＮは５などであってよい。
【０１０４】
識別子格納部４７は、上述したシャッターＩＤと伝送路Ｐ１〜ＰＮの対応関係を格納する記憶装置である。格納するシャッターＩＤの追加、変更、削除などを行うには、この識別子格納部４７にも、例えば、前記ＥＥＰＲＯＭを用いるとよい。
【０１０５】
具体的には、前記ＳＩＤＡと伝送路Ｐ１が対応し、ＳＩＤＢと伝送路Ｐ２が対応し、…、ＳＩＤＮと伝送路ＰＮが対応する旨を、当該識別子格納部４７に格納しておく。
【０１０６】
対象識別部４６は、プロセッサ４３から供給を受けたシャッターＩＤをもとに識別子格納部４７を検索することで、そのシャッターＩＤに対応する伝送路を特定してプロセッサ４３に返す機能を備えている。
【０１０７】
例えば、図６（Ｂ）に示すフォーマットの無線信号ＷＬ１を受信すると、プロセッサ４３は、当該フォーマット中のシャッターＩＤフィールドＦ２１からシャッターＩＤ（例えば、ＳＩＤＢ）を取り出して、当該対象識別部４６に供給し、対象識別部４６は当該シャッターＩＤであるＳＩＤＢをもとに識別子格納部４７を検索する。検索の結果、対象識別部４６がＳＩＤＢに対応づけられた伝送路Ｐ２を特定し、その伝送路Ｐ２を示す情報をプロセッサ４３に返すと、プロセッサ４３は、前記ＳＩＤＢと同じフォーマット中の動作指示情報フィールドＦ２２に収容されていた動作指示情報に応じた制御信号（ここでは、ＭＣ２）を、該当する伝送路（ここでは、Ｐ２）を介してシャッター制御部６５Ｂに伝える。
【０１０８】
これにより、シャッター制御部６５Ｂに対応する例えば窓用シャッターだけが、指示された動作（例えば、開動作）を行い、他のシャッター制御部６５Ａや６５Ｎなどに対応する窓用シャッターは動作しない。
【０１０９】
なお、図６（Ｂ）のシャッターＩＤフィールドＦ２１にはシャッターＩＤとともに、上述した送信機ＩＤを収容するようにしてもよい。シャッターＩＤは１０進数で１桁程度と小さく、膨大な数のリモコン送信機製品を一義的に識別する必要のある送信機ＩＤはこれよりもはるかに大きな値となるため、送信機ＩＤの一部としてシャッターＩＤを収容してもよい。
【０１１０】
以下、上記のような構成を有する本実施形態の動作について、図５および図７のフローチャートを参照しながら説明する。
【０１１１】
図５のフローチャートは、Ｓ１０〜Ｓ１９の各ステップから構成されており、図７のフローチャートはＳ３０〜Ｓ３４の各ステップから構成されている。
【０１１２】
（Ａ−２）実施形態の動作
図５のステップＳ１０において、前記製品変更スイッチ６４が操作されることにより、製品としてのリモコン送信機１２は、上述したテンキー７０〜８１を暗証番号の入力に使用する第１の用途または、テンキー７０〜８１を、開、閉、停などの動作指示の対象となるシャッターの指定に使用する第２の用途のいずれかで用いられる。ユーザＵ１からみた場合、この製品変更スイッチ６４の操作は、同じリモコン送信機１２を異なる製品に変更することに等しい。
【０１１３】
当該ステップＳ１０で当該製品変更スイッチ６４を操作する主体は、通常、ユーザＵ１ではなく、リモコン送信機１２の製造作業者などであり、操作の時点は製造工程などであり、多くの場合、製造工程の最終段階に近い下流工程で操作される。
【０１１４】
ステップＳ１０で第１の用途を選択した場合、リモコン送信機１２は第１の用途に対応する暗証番号入力モードで動作し（Ｓ１１）、ユーザＵ１はテンキー７０〜８１を用いて、例えば４桁以上の所定の暗証番号を入力する（Ｓ１２）。この場合、当該リモコン送信機１２の通信相手となるのは、前記リモコン受信機１１Ａである。
【０１１５】
次のステップＳ１３では、入力した当該暗証番号の正当性をリモコン送信機１２内で検証し（すなわち、リモコン送信機１２内でユーザ認証を実行している）、検証の結果が否定的な場合にはＮ（Ｎｏ）側に分岐し、肯定的な場合にはＹ（Ｙｅｓ）側に分岐する。
【０１１６】
Ｎｏ側に分岐した場合、ユーザＵ１は暗証番号を再入力することになる。
【０１１７】
図５のフローチャートではこの再入力の繰り返し回数に制限はないため、ユーザＵ１は何回でも再入力を行うことができるが、セキュリティ上は、暗証番号の再入力がつづけて所定回数（例えば、５回程度）繰り返された場合（すなわち、つづけて所定回数、誤った暗証番号が入力された場合）は、警報を発したり、所定の操作（警戒状態を解除するための特定の操作）を行わないかぎり、さらなる再入力を受け付けないようにする等の処理を行うことも好ましい。
【０１１８】
正当な権限のない者（不正侵入者）などが、総当たり的に暗証番号を変化させて、不正侵入を試みる可能性もあるからである。
【０１１９】
ステップＳ１３がＹｅｓ側に分岐すると、動作指示スイッチ５１〜５３の操作の受付けが有効になる（Ｓ１４）。
【０１２０】
なお、ステップＳ１３で行うユーザ認証は、上述したように、リモコン受信機１１Ａ側で行うようにしたほうが、セキュリティなどの観点で有利である。
【０１２１】
リモコン送信機１２であれ、リモコン受信機１１Ａであれ、ユーザ認証を行うほうの通信装置には、真正な暗証番号を記憶しておく必要があり、その通信装置を盗まれると、真正な暗証番号が取り出されて悪用される可能性もあるが、シャッターケースＣＡなどで防御されているリモコン受信機１１Ａのほうが、リモコン送信機１２よりも盗難にあう危険性は少ないものと考えられるからである。
【０１２２】
リモコン受信機１１Ａ側でユーザ認証を行う場合には、当該ステップＳ１３は省略可能で、ステップＳ１２の次にはステップＳ１４が実行される。
【０１２３】
当該ステップＳ１４につづくステップＳ１５では、上述した監視タイマ部５９が、前記しきい値の例として１０秒を計測している。計測の開始タイミングは、例えば、暗証番号の最初の１桁を示す数字キー（例えば、７５）を操作したときとしてもよく、ステップＳ１３がＹｅｓ側に分岐したとき等としてもよい。
【０１２４】
計測する時間がこの１０秒に達する前に、前記動作指示スイッチ５１〜５２のいずれかの操作が検出されれば、１０秒経過後に、ステップＳ１５がＹｅｓ側に分岐してその操作内容に応じた動作指示情報をフィールドＦ１２に含み、暗証番号情報をフィールドＦ１１に含む図６（Ａ）のフォーマットの無線信号ＷＬ１が、リモコン送信機１２から無線送信される（Ｓ１６）。
【０１２５】
なお、ユーザ認証をリモコン送信機１２側で行った場合には、重ねてリモコン受信機１１Ａでも同様なユーザ認証を行う必要性に乏しいため、リモコン受信機１１Ａ側ではユーザ認証を行わないようにしてもよい。その場合には、暗証番号情報を無線信号ＷＬ１に収容する必要はない。
【０１２６】
また、前記動作指示スイッチ５１〜５２のいずれかの操作が検出されても１０秒経過するまでステップＳ１５をＹｅｓ側に分岐させないのは、上述した喚起動作などの複雑な動作を指示するために、例えば、３秒以内に開動作指示スイッチ５１を繰り返し３回押し下げること等の経過時間を条件に含む一連の操作を行わせることもあり得、ユーザＵ１が指示する動作の内容を見極める必要があるからである。
【０１２７】
したがって、もしも、経過時間を条件に含む一連の操作を行わせることがあり得ない場合には、最初の１回の操作（上述した閉動作指示スイッチ５２と停止動作指示スイッチ５３を同時に短く（例えば３秒以内）押す操作なども含む）を検出した時点で、直ちに、ステップＳ１５をＹｅｓ側に分岐させて無線信号ＷＬ１を送信させるようにしてもよい。
【０１２８】
計測時間が１０秒に達しても動作指示スイッチ５１〜５３の操作が有効に検出されなければ、ステップＳ１５はＮｏ側に分岐して、処理は前記ステップＳ１２にもどる。
【０１２９】
なお、計測時間が１０秒に達したことは、聴覚的および／または視覚的に、ユーザＵ１に伝えるようにしてもよい。このとき、特定のブザー音などを用いることができる。
【０１３０】
前記ステップＳ１３のユーザ認証がリモコン送信機１２側で行われないものとすると、無線信号ＷＬ１には、暗証番号情報フィールドＦ１１が収容されている。このため、ステップＳ１６で無線送信された無線信号ＷＬ１を受信したリモコン受信機１１Ａは、プロセッサ４３が当該フィールドＦ１１から暗証番号を取り出してユーザ認証部４４に渡し、ユーザ認証部４４は、プロセッサ４３から受け取った当該暗証番号と暗証番号格納部４５に格納されている暗証番号とを照合して上述したユーザ認証を行う。
【０１３１】
ユーザ認証部４４が肯定的な認証結果を返した場合に限り、プロセッサ４３は、当該暗証番号情報を収容したフィールドＦ１１に隣接するフィールドＦ１２に収容された動作指示情報に応じて制御信号ＭＣ１をシャッター制御部６５に供給するから、当該制御信号ＭＣ１の内容に応じてシャッター１３が動作（停止動作も含む）することになる。
【０１３２】
なお、図６（Ａ）には含まれていないが、当該無線信号ＷＬ１に上述した送信機ＩＤを収容して送信した場合には、無線信号ＷＬ１を受信したリモコン受信機１１Ａでは、図７のフローチャートで示される処理が実行される。図７のフローチャートは、上述した端末認証をリモコン受信機１１Ａ側で行う場合に相当する。
【０１３３】
端末認証を行うタイミングは、前記ユーザ認証の前後いずれであってもよいが、端末認証の認証結果が否定的となった場合にシャッター動作を実行させないためには、少なくとも、前記制御信号ＭＣ１をプロセッサ４３からシャッター制御部６５に送信する前に行う必要がある。
【０１３４】
図７において、リモコン受信機１１Ａが送信機ＩＤを含む無線信号ＷＬ１を受信すると（Ｓ３０）、プロセッサ４３が送信機ＩＤを取り出し（Ｓ３１）、予め登録してある送信機ＩＤと照合する（Ｓ３２）。このとき、予め登録してある送信機ＩＤと、無線信号ＷＬ１に含まれていた送信機ＩＤのコードが一致した場合、端末認証の認証結果は肯定的なものとなり、一致しない場合には、否定的なものとなる。
【０１３５】
ステップＳ３２は肯定的な認証結果が得られるとＹｅｓ側に分岐し、否定的な認証結果が得られるとＮｏ側に分岐する。
【０１３６】
Ｎｏ側の分岐では、リモコン受信機１１Ａの処理は、当該無線信号ＷＬ１の受信前の状態にもどり、Ｙｅｓ側の分岐では、プロセッサ４３が当該無線信号ＷＬ１の該当フィールド（前記Ｆ１２に相当）に収容されている動作指示情報
を読み込み（Ｓ３３）、当該動作指示情報に応じた前記制御信号ＭＣ１を、前記シャッター制御部６５に出力する（Ｓ３４）。
【０１３７】
ただし、端末認証とユーザ認証を重ねて行う場合には、ユーザ認証の結果も肯定的であることが、ステップＳ３２をＹｅｓ側に分岐させる条件となるのが普通である。端末認証の結果が肯定的であるのに、ユーザ認証の結果が否定的となる典型的なケースは、シャッター１３を操作する正当な権限を持たない不正侵入者が、リモコン送信機１２を操作して侵入を試みようとしている場合だからである。
【０１３８】
一方、図５の前記ステップＳ１０で第２の用途を選択した場合、当該リモコン送信機１２の通信相手となるのは、前記リモコン受信機１１Ｂである。
【０１３９】
そして、リモコン送信機１２は第２の用途に対応するシャッター指定モードで動作し（Ｓ１７）、ユーザＵ１はテンキー７０〜８１を用いて、例えば１桁程度のシャッターＩＤを入力する（Ｓ１８）。
【０１４０】
ステップＳ１８につづくステップＳ１９は、前記ステップＳ１５に対応するステップで、監視タイマ部５９が前記１０秒の計測を行う。計測の開始タイミングは、シャッターＩＤの（最初の）１桁の入力を検出したときであってもよく、シャッターＩＤが２桁以上におよぶ場合には、最後の１桁の入力を検出したときであってもよい。
【０１４１】
当該１０秒に達する前にいずれかの動作指示スイッチ５１〜５３の操作が検出された場合には、ステップＳ１９はＹｅｓ側に分岐して前記ステップＳ１６が実行され、いずれの動作指示スイッチ５１〜５３の操作も検出されることなく１０秒を経過した場合には、ステップＳ１９はＮｏ側に分岐して処理は前記ステップＳ１８にもどる。
【０１４２】
なお、ステップＳ１９がＹｅｓ側に分岐したときに実行されるステップＳ１６で送信される無線信号ＷＬ１のフォーマットは、図６（Ｂ）に示すものであり、前記ステップＳ１５がＹｅｓ側に分岐したときにステップＳ１６で送信される無線信号ＷＬ１のフォーマットとは相違する。
【０１４３】
なお、図５のフローチャートでは、前記送信スイッチ５０を用いなかったが、送信スイッチ５０を用いる場合には、前記ステップＳ１５および前記ステップＳ１９の処理が、送信スイッチ５０の操作の検出処理に置換される。
【０１４４】
すなわち、送信スイッチ５０の操作が検出されれば前記ステップＳ１６が実行され、検出されなければ、所定時間（送信監視時間）経過後に、処理は、前記ステップＳ１３またはＳ１８にもどる。
【０１４５】
ここで、送信監視時間経過後に、処理が、前記ステップＳ１３またはＳ１８にもどるものとしたのは、そのようにしておかないと、ユーザＵ１がリモコン送信機１２が、ある時点で、どのような内部状態（例えば、暗証番号の入力の途中なのか、そうではないのか等）にあるのかを見失った場合に困るからである。当該送信監視時間は、前記１０秒よりも長く設定することが望ましい。
【０１４６】
ステップＳ１９につづくステップＳ１６で無線送信された無線信号ＷＬ１が前記送信機ＩＤを含む場合、図７と同様の端末認証をリモコン受信機１１Ｂで実行することが可能である。
【０１４７】
本実施形態において、ステップＳ１９につづくステップＳ１６で無線送信された無線信号ＷＬ１では、暗証番号情報を収容することはないためユーザ認証が行えないことから、端末認証を実行する必要性は小さくない。
【０１４８】
なお、ユーザＵ１は、通常、第１または第２のいずれかの用途にしか当該リモコン送信機１２を使用しないため、いずれか一方の用途に対応した操作方法
を知っていればよい。
【０１４９】
（Ａ−３）実施形態の効果
本実施形態によれば、テンキーを備えた１つのリモコン送信機（１２）を、所定の製品変更スイッチ（６４）を切り替えることによって仕様（用途）の異なる２通りのリモコン送信機製品のいずれかとして製造（流通、販売なども含む）することが可能になり、柔軟性が向上する。
【０１５０】
（Ｂ）他の実施形態
上記実施形態では、本発明を無線リモコンシステムに適用した場合を例に説明したが、本発明は有線リモコンシステムに適用することも可能である。
【０１５１】
有線リモコンシステムでは、前記リモコン送信機に相当する通信装置と前記リモコン受信機に相当する通信装置が有線ケーブルなどの有線伝送路によって接続される。
【０１５２】
一般に、遠くから離れた不特定の位置からシャッター動作を行うことができ、使い勝手が良いという点では無線リモコンシステムが有利であり、有線ケーブルなどを引き回すスペースを確保したり、有線ケーブルを通すために壁面に穴を開けたりする作業が不要で施工性が高い点も、無線リモコンシステムの利点であるが、通信の信頼性の点や、常に特定の位置でシャッター動作を指定したい場合などには、有線リモコンシステムが向いている。
【０１５３】
また、同じシャッターシステムを有線でも無線でも制御できると、融通性に富み、ユーザの都合によりどちらの方法を取ることも可能となる。したがってリモコンシステムは、これら無線リモコンシステムと有線リモコンシステムの特徴を混合した混合システムとすることも好ましい。
【０１５４】
なお、上記リモコン送信機１２は壁面固着タイプのリモコン送信機であったが、本発明は、上述した携帯タイプのリモコン送信機に適用することも可能である。
【０１５５】
さらに、図３に示した上記リモコン送信機１２の外観は一例であり、変更可能である。
【０１５６】
例えば、前記上蓋１２Ｂは省略することもでき、動作指示スイッチとしては前記５１〜５３に新たなスイッチを追加してもよく、５１〜５３の一部を省略してもよい。
【０１５７】
また、必ずしも、テンキー中の数字キー７０〜７９のすべてを暗証番号の入力やシャッターＩＤの入力に使用する必要はないので、使用しない数字キーを上述した動作指示スイッチ５１〜５３や、送信スイッチ５０などとして利用してもよい。この場合、ハードウエア的な動作指示スイッチ５１〜５３や送信スイッチ５０を省略することができ、スイッチ類の数を低減することが可能になる。
【０１５８】
さらに、上記実施形態では、解釈部６１や手順記憶部５７をリモコン送信機１２側に配置したが、これらの機能はリモコン受信機１１側に配置することもできる。
【０１５９】
なお、上記実施形態では、図５のステップＳ１５，Ｓ１９で、１０秒以内に行われた動作指示スイッチ５１〜５３の操作の内容を一括して無線信号ＷＬ１に収容するようにしたが、動作指示スイッチ５１〜５３のいずれか１つを操作するたびに、暗証番号の入力やシャッターＩＤの指定を行わせ、間欠的に供給された動作指示スイッチ５１〜５３の操作系列を示す情報を、リモコン受信機１１側で再構成し、解釈するようにしてもよい。
【０１６０】
この場合、複雑な処理はすべてリモコン受信機１１側で行うこととなり、ユーザＵ１の操作負担は大きくなるが、リモコン送信機１２の機能は大幅に削減できる。
【０１６１】
また、上記実施形態は、同じリモコン送信機１２を第１または第２の用途のいずれか一方の製品としてユーザＵ１に使用させるものであったが、ユーザＵ１が第１の用途とともに第２の用途にも当該リモコン送信機１２を活用できるようにしてもよい。
【０１６２】
その場合、例えば、テンキー中の数字キー７０〜７９をシャッターＩＤの入力に使用したあとで（あるいは、前に）、暗証番号の入力にも使用するという構成も可能である。このとき、シャッターＩＤの入力と暗証番号の入力の境界を明確にするため、シャッターＩＤと暗証番号の中間に特定のスイッチ（例えば、補助キー８１）を操作させるようにするとよい。
【０１６３】
この場合、当該補助キー８１が前記製品変更スイッチ６４に相当する機能を持つことになり、電池収納ボックス１２Ｄの奥部に設けていた製品変更スイッチ６４は省略できる。
【０１６４】
また、これによって、ユーザＵ１の操作は複雑化するが、リモコン送信機１２を多機能な通信装置として利用できるようになる。
【０１６５】
なお、上記実施形態において、必要ならば、製品変更スイッチ６４を、ユーザＵ１が操作しやすい場所に配置し、ユーザＵ１に操作させるようにしてもよい。
【０１６６】
また、上記実施形態では、無線信号ＷＬ１は周波数帯域が３００ＭＨｚや４００ＭＨｚ程度で、送信電力が１ｍＷ程度の微弱な電波であったが、本発明の適用範囲はこれに限定されるものではない。これよりも高い周波数や低い周波数の電波を使用してもよく、赤外線などを使用してもよい。また、送信電力もこれよりも大きくしてもよく、小さくしてもよい。
【０１６７】
さらにまた、上記実施形態では、動作指示スイッチは、ＰＢＳ形式のスイッチであるものとしたが、本発明は、ＰＢＳ形式のスイッチに限って適用されるものではない。スライド式スイッチや回転式スイッチなどを使用してもよく、圧力や温度、静電気の変化などに反応する各種のスイッチを適用することもできる。この点は、動作指示スイッチ以外のスイッチについても同様である。
【０１６８】
さらに上記実施形態ではシャッター１３は主として開動作や閉動作などの移動動作を行ったが、必要に応じて、移動動作以外の動作を行うものであってもよい。移動動作以外の動作の具体例としては、前記換気動作のほか、例えば、シャッターカーテンの施錠動作や解錠動作なども含まれ得る。
【０１６９】
なお、シャッターなどの開閉体や開閉装置、開閉システムに関する「開閉」とは、「開のみ」、「閉のみ」、「開および閉」などの総称である。したがって「開」、「閉」一対の動作の存在は本発明にとって必須の要件ではない。
【０１７０】
なお、上記実施形態においては、スラットシャッターについて本発明を適用したが、本発明はスラットシャッター以外にも、シートシャッターなど各種のシャッターに適用することが可能であることはすでに述べた通りである。
【０１７１】
さらに本発明は、シャッター用としてだけでなく、ドア、窓、オーバーヘッドドア、ロールスクリーン（例えば遮光幕）、ブラインド、オーニング装置などの他の開閉装置の混合システムにも適用することが可能である。
【０１７２】
また、以上の説明において、情報の流れる方向は、リモコン送信機１２（や固定操作部１４）からリモコン受信機（リモコン受信機１１）へ向かう単方向であったが、本発明の適用範囲はこのような単方向通信に限定されるものではない。
【０１７３】
すなわち当該リモコン送信機を送信専用の通信機器ではなく遠隔操作用の送受信機である操作送受信機に置換するとともに、当該リモコン受信機を受信専用の通信機器ではなく遠隔被操作用の送受信機である被操作送受信機に置換し、必要に応じて全二重通信や半二重通信が行えるようにしてもよい。
【０１７４】
このとき操作送受信機から被操作送受信機に向かう無線信号（または、有線信号）に含まれている信号は、前記シャッター動作などを指示する動作指示情報であってよく、反対に被操作送受信機から操作送受信機に向かう無線信号（または、有線信号）に含まれている信号は、シャッター動作の現状を報告するための動作状態報告信号（開閉回数累積値や不具合発生状況の履歴情報等、その時点で記憶している履歴情報も含む）であってよい。
【０１７５】
当該動作状態報告信号は、その時点のシャッター動作状態が、例えば、「全開放状態」、「全閉鎖状態」、「一部開放状態（部分的に開放して停止している状態）」、「開動作中」、「閉動作中」、「異常発生」、モード（非制限操作または制限操作等の）状態などであることを示す信号であってよい。
【０１７６】
この場合、当該動作状態報告信号を受け取ることによって、操作送受信機のユーザは、シャッター動作状態が例えば当該「閉動作中」であることを認識することができる。
【０１７７】
以上の説明では主としてハードウエア的に本発明を実現したが、本発明はソフトウエア的に実現することも可能である。
【０１７８】
【発明の効果】
以上に説明したように、本発明によれば、柔軟性の高い、開閉体側通信装置および非開閉体側通信装置を提供することが可能である。
【図面の簡単な説明】
【図１】実施形態に係る無線リモコンシステムで使用するリモコン送信機の主要部の構成例を示す概略図である。
【図２】実施形態に係る無線リモコンシステムで使用するリモコン受信機およびその周辺の主要部の構成例を示す概略図である。
【図３】実施形態に係る無線リモコンシステムで使用するリモコン送信機の外観例を示す概略図である。
【図４】実施形態の無線リモコンシステムの全体構成例を示す概略図である。
【図５】実施形態の動作説明図である。
【図６】実施形態で使用する無線信号のフォーマット構成例を示す概略図である。
【図７】実施形態の動作説明図である。
【符号の説明】
１０…無線リモコンシステム、１１、１１Ａ、１１Ｂ…リモコン受信機、１２…リモコン送信機、１３…シャッター、１３Ａ…（シャッターの）下端部、４１…無線受信部、４３，５６…プロセッサ、４４…ユーザ認証部、４５…暗証番号格納部、４６…対象識別部、４７…識別子格納部、５０…送信スイッチ、６０…テンキー操作検出部、６１…解釈部、６２…製品変更部、６３…送信許可部、６４…製品変更スイッチ、６５，６５Ａ〜６５Ｎ…シャッター制御部。
【図１】
2004143841.tif 000003
【図２】
2004143841.tif 000004
【図３】
2004143841.tif 000005
【図４】
2004143841.tif 000006
【図５】
2004143841.tif 000007
【図６】
2004143841.tif 000008
【図７】
2004143841.tif 000009